(57)【要約】      （修正有）【課題】有害な化学物質やオゾンなどを一切使用せずしてタバコの煙などに起因する不快臭を除去でき、長期に亘って優れた消臭効果を発揮する消臭機能を有した空気清浄機を提供する。【解決手段】吸込口２と吹出口４とを有する筺体の内部にファン１１を設け、そのファン１１の駆動により吸込口２から吹出口４に向かって流れる空気の流路中にエアフィルタ１２を配置して成る空気清浄機である。筺体内における空気の流路中には、所定の形状を有する容器１５内に二種類の金属Ｍｃ，Ｍｄ、又は粒状の鉱石ＭａとセラミックＭｂから成る異種の物質を接触状態で収容して構成される構造物１５が配置される。又、筺体内における空気の流路中にはマイナスイオン発生器１３と紫外線放射装置１４が配置される。【選択図】図２
0003109054.tif 000002
【実用新案登録請求の範囲】
【請求項１】
吸込口と吹出口とを有する筺体の内部にファンを設け、そのファンの駆動により前記吸込口から吹出口に向かって流れる空気の流路中にエアフィルタを配置して成る空気清浄機において、前記筺体内における空気の流路中に、所定の形状を有する容器内に異種の物質を接触状態で収容して成る構造物を配置したことを特徴とする空気清浄機。
【請求項２】
異種の物質は、二種類の金属、又は粒状の鉱石とセラミックである請求項１記載の空気清浄機。
【請求項３】
筺体内における空気の流路中に、マイナスイオン発生器を配置したことを特徴とする請求項１、又は２記載の空気清浄機。
【請求項４】
筺体内における空気の流路中に、紫外線放射装置を配置したことを特徴とする請求項１〜３の何れかに記載の空気清浄機。
【考案の詳細な説明】
【技術分野】
【０００１】
本考案は空気中に浮遊する微粒子を除去する空気清浄機に係わり、特に簡易構造にして消臭機能を有する空気清浄機に関する。
【背景技術】
【０００２】
近年、高齢化の進展や生活習慣病が増加する中で、栄養改善に加え健康の管理を目的にして、学校、病院、劇場、飲食店、パチンコ店といった多くの人が集まる施設を対象に他人のタバコの煙を吸わされる「受動喫煙」の防止措置を義務付けるなどの法的規制が強化されつつある。
【０００３】
受動喫煙を防止する対策として、室内に空気清浄機を設置するのも良いが、空気清浄機の基本的構成はファンの駆動により内部に取り込んだ室内空気を繊維膜や活性炭などから成るエアフィルタに通し、これを室内に排出するというものであるから、比較的大きな浮遊粒子はエアフィルタによって捕捉することはできても、タバコの煙を捕捉することは甚だ困難である。
【０００４】
尚、煙の粒子を捕捉することができたとしても、エアフィルタには汚れた空気が繰り返し通されるので短期間での交換が必要となり、しかもフィルタに付着した臭い成分が空気流に乗って室内に拡散するという難点がある。
【０００５】
そこで、液体やゼリー状などの消臭剤入りカートリッジを内蔵する脱臭器を備えた空気清浄機が提案されている（例えば、特許文献１）。
【０００６】
【特許文献１】実開平７−３２４２９号公報
【考案の開示】
【考案が解決しようとする課題】
【０００７】
然しながら、特許文献１に開示されるような空気清浄機でも、消臭剤による脱臭効果は早期に失われる。このため、消臭剤カートリッジを短期間で交換しなければならず、ランニングコストが嵩むという欠点がある。
【０００８】
又、消臭剤にも不快臭を化学的作用又は物理的吸着作用により除去するものと、不快臭を抑止するものとがあるが、化学的作用を利用するものは安全性に問題があり、物理的吸着作用を利用するものでは消臭効果の持続性に問題がある。又、不快臭を抑止するものは芳香物質によるマスキングが主であるため、不快臭を元から断つことはできない。
【０００９】
本考案は以上のような事情に鑑みて成されたものであり、その目的は有害な化学物質やオゾンなどを一切使用せずしてタバコの煙などに起因する不快臭を除去でき、長期に亘って優れた消臭効果を発揮する消臭機能を有した空気清浄機を提供することにある。
【課題を解決するための手段】
【００１０】
本考案は上記目的を達成するため、吸込口と吹出口とを有する筺体の内部にファンを設け、そのファンの駆動により前記吸込口から吹出口に向かって流れる空気の流路中にエアフィルタを配置して成る空気清浄機において、前記筺体内における空気の流路中に、所定の形状を有する容器内に異種の物質を接触状態で収容して成る構造物を配置したことを特徴とする。
【００１１】
又、上記のような空気清浄機において、異種の物質は、二種類の金属、又は粒状の鉱石とセラミックであり、更に筺体内における空気の流路中にマイナスイオン発生器ほか、紫外線放射装置が配置されることを特徴とする。
【考案の効果】
【００１２】
本考案によれば、吸込口と吹出口とを有する筺体の内部にファンを設け、そのファンの駆動により前記吸込口から吹出口に向かって流れる空気の流路中にエアフィルタを配置して成る空気清浄機において、筺体内における空気の流路中に、所定の形状を有する容器内に二種類の金属や粒状の鉱石とセラミックといった異種の物質を接触状態で収容して成る構造物を配置したことから、エアフィルタの働きにより空気中の浮遊物質を捕捉しながら、異種の物質の接触電位差にもとづいて微弱電流を発生させ、これを空気に直接作用せしめることができる。
【００１３】
これにより、吸込口から吹出口に向かって流れる空気中のクラスタを破壊して、タバコの煙などの悪臭を消し去ることができる。
【００１４】
又、筺体内における空気の流路中にマイナスイオン発生器が配置されることから、これにより発生するマイナスイオンにより消臭効果が更に向上し、しかも上記構造物との相乗効果によりマイナスイオンの作用が持続するという効果が得られる。
【００１５】
更に、筺体内における空気の流路中には、紫外線放射装置が配置されることから、空気に含まれるダニや病原菌を死滅させてクリーンな空気を生成することができる。
【考案を実施するための最良の形態】
【００１６】
以下、図面に基づいて本考案を詳しく説明する。図１は本考案に係る空気清浄機を示した斜視概略図である。図１において、１は装置の筺体であり、その下部前面にはスリット状の吸込口２が形成され、下部側面には吸込口２の裏側に後述するエアフィルタを配置するための開口部３が設けられる。又、筺体１の上部前面と両側面には、スリット状の吹出口４が形成される。
【００１７】
本例において、吸込口２と吹出口４は筺体１を部分的に切り欠いた孔にすぎないが、吹出口４にルーバを設けて風向を調整可能とすることもできる。尚、図１において、５は外部電源から駆動電力を得るための電気コード、６は筺体の前面に配した主電源スイッチである。
【００１８】
次に、図２は係る空気清浄機の内部構造を示した断面図である。この図で明らかなように、筺体１の内部は仕切板７により吸込口２を有する下部領域８と、吹出口４を有する上部領域９とに区分されており、その両領域８，９は吸込口２から吹出口４に向かって空気を流す流路を形成する。
【００１９】
仕切板７は、下部領域８から上部領域９への空気の流通を可能にする通気口１０を有すると共に、仕切板７には上部領域９側で通気口１０を臨むファン１１が取り付けられる。そして、係るファン１１は図１に示した主電源スイッチ６の操作により外部からの電力を得て駆動し、その駆動により外部の空気が吸込口２から筺体１の内部に取り込まれ、これが下部領域８から上部領域９を経て吹出口４より外部に排出されるという空気循環が繰り返されるようになっている。
【００２０】
ここで、１２は上記のエアフィルタであり、そのエアフィルタ１２は所定の通気性を有する繊維膜を枠体で保持した構成とされる。上記のように、エアフィルタ１２は吸込口２の裏側に配されるのであり、このため筺体１内に吸い込まれた空気はエアフィルタ１２を透過して塵埃などの比較的大きな浮遊粒子が除去される。尚、係るエアフィルタ１２として通気性を有するケース内に活性炭などの多孔質物質を収納したものなどを利用することもできる。
【００２１】
又、図２から明らかなように筺体１内にはマイナスイオン発生器１３が設けられる。このマイナスイオン発生器１３は、圧電トランスなどを有する電圧発生部１３Ａと、針状の放電電極１３Ｂなどから構成される公知のもので、電圧発生部１３Ａにより得られる高電圧を放電電極１３Ｂに印加してコロナ放電させることにより、マイナスイオンを発生するものである。そして、係るマイナスイオン発生器１３によれば、上部領域９におけるファン１１の下流側に配されて、ファン１１から送り出される空気中にマイナスイオンを放散し、これにより空気中に含まれる悪臭成分を分解する働きをする。
【００２２】
一方、１４は公知の紫外線放射装置であり、これは水銀灯、水素や希ガスなどの放電管、石英ランプ、又はアーク灯などの光源を有する機器本体と、その光源を点灯させるための駆動回路などから構成される。そして、係る紫外線放射装置１４は下部領域８内に取り付けられ、筺体１内に取り込まれた空気中に含まれるダニや病原菌などを死滅させる働きをする。
【００２３】
更に、下部領域８にはマイナスイオンビームを放射する構造物１５が配される。係る構造物１５は所定の形状を有する容器１６内に異種の物質を接触状態で収容して成るものであり、これはコ字形の金具１７によりファン１１の直下で直立状態に固定される。
【００２４】
係る構造物１５の構成を図３により詳しく説明すると、本例において容器１６は円筒形とした容器本体１６Ａと、その両端を塞ぐキャップ１６Ｂとで構成される。容器本体１６Ａとキャップ１６Ｂはステンレス鋼やアルミ合金（Ａｌ−Ｍｎ合金、Ａｌ−Ｓｉ合金、Ａｌ−Ｍｇ合金、Ａｌ−Ｍｇ−Ｓｉ合金、Ａｌ−Ｚｎ−Ｍｇ合金）などの金属製であり、係る容器１６内には異種の物質として粒状の鉱石ＭａとセラミックＭｂが収容される。特に容器本体１６Ａの両側にはセラミックＭｂが収容され、その間に鉱石Ｍａが収容される。尚、容器本体１６Ａの一端側に鉱石Ｍａを収容すると共に他端側にセラミックＭｂを収容するようにしてもよい。
【００２５】
ここに、鉱石Ｍａとしては、例えば斑レイ岩、閃緑岩、閃長岩などの等粒状構造を示す深成岩、好ましくはその一種である花崗岩（御影石）が用いられる。
【００２６】
又、セラミックＭｂとしては、例えばガラスセラミックス（Ｌｉ２Ｏ−Ａｌ２Ｏ３−ＳｉＯ２系、ＭｇＯ−Ａｌ２Ｏ３−ＳｉＯ２系、ＰｂＯ−ＺｎＯ−Ｂ２Ｏ３系、ＳｉＯ２−Ａｌ２Ｏ３−ＣａＯ−ＺｎＯ−ＢａＯ−Ｎａ２Ｏ系）が用いられる。
【００２７】
そして、以上のように構成される構造物１５によれば、筺体１内に取り込まれた空気からタバコの煙などに含まれる悪臭成分を除去し、マイナスイオン発生器１３から発生されるマイナスイオンと相俟って消臭効果を長期に亘って維持することができる。その原因は今のところ必ずしも明確でないが、異種の物質（本例において鉱石ＭａとセラミックＭｂ）の接触による電位差に基づく接触電気現象（ヴォルタ効果）により微弱電流が発生し、これに起因してマイナスイオンビーム（フォトン）が外部に放射され、これが周囲の空気に直接作用して空気中に含まれる悪臭成分のクラスタを破壊するためと考えられる。
【００２８】
尚、異種の物質は上記のような粒状の鉱石ＭａとセラミックＭｂに限るものでなく、２種類の金属Ｍｃ，Ｍｄを用いることもできる。異種金属Ｍｃ，Ｍｄは塊状でも板状でもよいが、図４のように接触面積の大きな板状にして、その両者Ｍｃ，Ｍｄを密着させた状態で容器１６内に収容することが好ましい。
【００２９】
又、係る異種金属Ｍｃ，Ｍｄには様々な組み合わせが考えられるが、その組み合わせとしてチタンと銅、銅と錫、銅とニッケル、銅と鉄、銅とマグネシウム、銅と亜鉛、銅と鉛、銅と金、銅と銀、銅と白金、銅とパラジウム、銅とコバルト、錫とチタン、錫とニッケル、錫と鉄、錫とマグネシウム、錫と亜鉛、錫と鉛、錫と金、錫と銀、錫と白金、錫とパラジウム、錫とコバルト、ニッケルとチタン、ニッケルと鉄、ニッケルとマグネシウム、ニッケルと亜鉛、ニッケルと鉛、ニッケルと金、ニッケルと銀、ニッケルと白金、ニッケルとパラジウム、ニッケルとコバルト、鉄とチタン、鉄とマグネシウム、鉄と亜鉛、鉄と鉛、鉄と金、鉄と銀、鉄と白金、鉄とパラジウム、鉄とコバルト、マグネシウムとチタン、マグネシウムと亜鉛、マグネシウムと鉛、マグネシウムと金、マグネシウムと銀、マグネシウムと白金、マグネシウムとパラジウム、マグネシウムとコバルト、亜鉛とチタン、亜鉛と鉛、亜鉛と金、亜鉛と銀、亜鉛と白金、亜鉛とパラジウム、亜鉛とコバルト、鉛とチタン、鉛と金、鉛と銀、鉛と白金、鉛とパラジウム、鉛とコバルト、金とチタン、金と銀、金と白金、金とパラジウム、金とコバルト、銀とチタン、銀と白金、銀とパラジウム、銀とコバルト、白金とチタン、白金とパラジウム、白金とコバルト、パラジウムとチタン、パラジウムとコバルト、チタンとコバルトなどが考えられる。
【００３０】
そして、そのような異種金属を接触状態で容器内に収容したものでも、多量のマイナスイオンビームを発生させて空気の消臭を図ることができる。
【００３１】
因みに、マイナスイオンの作用として、体内の活性酸素を無害化する抗酸化物質の一種であるユビキノールを増加させることも知られている。
【００３２】
以上、本考案について説明したが、構造物１５を構成する容器１６は円筒形に限るものでなく、これを角柱状、矩形状、又はリング状などとして差し支えない。
【図面の簡単な説明】
【００３３】
【図１】本考案に係る空気清浄機を示す斜視概略図
【図２】同空気清浄機の内部構造を示す断面図
【図３】空気の流路中に配置される構造物の構成例を示す断面図
【図４】異種の物質として二種類の金属板を接触させたロール体を示す参考図
【符号の説明】
【００３４】
１  筺体
２  吸込口
４  吹出口
７  下部領域（空気の流路）
８  上部領域（空気の流路）
１１  ファン
１２  エアフィルタ
１３  マイナスイオン発生器
１４  紫外線放射装置
１５  構造物
１６  容器
Ｍａ，Ｍｂ  異種の物質（粒状の鉱石とセラミック）
Ｍｃ，Ｍｄ  異種の物質（二種類の金属）
【図１】
0003109054.tif 000003
【図２】
0003109054.tif 000004
【図３】
0003109054.tif 000005
【図４】
0003109054.tif 000006